(57)【要約】【課題】接続ケーブル等の付属部品を要することなく、携帯電話機の表示部筐体の前面側への容易な嵌め合わせ着脱及び自動的な回路切替えが可能で、表示能力と視認性と音量と音質及び迫力等を上げて、付加価値サービス等の利用をするための表示部とスピーカーと音量調整器と撮影部を備え、利便性が良いアタッチメント式ディスプレイ装置を提供する。【解決手段】アタッチメント式ディスプレイ装置は、携帯電話機の表示部筐体の前面側上方から嵌め合わせて装着するものであるが、その際、前記アタッチメント式ディスプレイ装置の嵌合ガイド凹部と嵌合ガイド凸部と外部接続端子は、それぞれを前記表示部筐体と嵌合ガイド凹部と第２外部接続端子に、同時に上方から下方へとスライドさせて嵌め合わせることで、装着及び電気的な接続が完了する。また、前記アタッチメント式ディスプレイ装置は、前面に表示部と撮影部とスピーカーと音量調整器を備えている。【選択図】図４
2008153717.tif 000002
【特許請求の範囲】
【請求項１】
携帯電話機の表示部筐体の前面側に嵌め合わせて着脱可能な、通貨紙幣サイズ程度のディスプレイ装置であって、前記ディスプレイ装置には嵌合ガイド凹と嵌合ガイド凸と電気的に接続するための外部接続端子を備え、これらはそれぞれ前記携帯電話機の前記表示部筐体の前面側と嵌合ガイド凹と外部接続端子に嵌め合わせる構成となっており、装着時に前記携帯電話機からの映像信号をうけて画像表示することが可能であるとともに、画像表示が前記携帯電話機側の前面表示部から、前記ディスプレイ装置側の表示部に自動的に切替わる制御手段を有し、前記携帯電話機からの電源供給で駆動することを特徴とするアタッチメント式ディスプレイ装置。
【請求項２】
前面側にスピーカーと音量調整器を備えたディスプレイ装置であって、前記スピーカーと前記音量調整器は、前記ディスプレイ装置と前記携帯電話機の前記外部接続端子を嵌め合わせることによって、前記携帯電話機に電気的に接続され、装着時に前記携帯電話機からの音声信号をうけて音声出力及び音量調整が可能であるとともに、音声出力が前記携帯電話機側の前面スピーカーから、前記ディスプレイ装置側の前記スピーカーに自動的に切替わる制御手段を有することを特徴とする請求項１記載のアタッチメント式ディスプレイ装置。
【請求項３】
前面側に撮影部を備えたディスプレイ装置であって、前記撮影部は、前記ディスプレイ装置と前記携帯電話機の前記外部接続端子を嵌め合わせることによって、前記携帯電話機に電気的に接続され、装着時に前記携帯電話機での操作部の操作による撮影要求信号に応じて、撮影データを前記携帯電話機に送り返すことが可能であるとともに、撮影機能が前記携帯電話機側の前面撮影部から、前記ディスプレイ装置側の前記撮影部に自動的に切替わる制御手段を有することを特徴とする請求項１又は２に記載のアタッチメント式ディスプレイ装置。
【発明の詳細な説明】
【技術分野】
【０００１】
本発明は、携帯電話機の表示部前面側に嵌め合わせ着脱可能なアタッチメント式ディスプレイ装置に関する。
【背景技術】
【０００２】
近年、携帯電話機の高機能化が進み、データ通信と映像通信と映像配信とテレビ番組視聴等の付加価値サービスも急激に進歩を続けている状況において、携帯電話等の無線電話機の表示部に表示される画像を、利用者がより見やすい状態で見ることを可能にする無線電話機用表示装置、及び該無線電話機用表示装置に該画像を表示させることが可能な無線電話機を提供することを目的としたものがある（例えば、特許文献１参照。）。
【０００３】
また、前記無線電話機は、表示部に表示される画像の表示データを出力可能な外部インターフェースを有する。この外部インターフェースには、接続ケーブルを介して携帯型表示装置が接続している。外部インターフェースから出力された表示データは、前記携帯型表示装置に入力され、拡大表示処理したり、文章データの場合には所定の改行処理したりして、該表示器の液晶ディスプレイに表示されるものである。
【０００４】
また、利用者が操作ボタン群を操作することで、前記携帯型表示装置の液晶ディスプレイに画像を表示させることが可能であり、前記無線電話機の表示部に画像が表示されないようにする事が可能である。
【０００５】
また、前記無線電話機と前記携帯型表示装置とを接続するため、接続ケーブルによる有線接続を用いたが、電波等を用いた無線接続であってもよいとの記載もある。
【特許文献１】特開２００１−２６８１８０号  公報
【発明の開示】
【発明が解決しようとする課題】
【０００６】
以上に述べた従来の携帯型表示装置では、接続ケーブルを介して無線電話機に接続されているものであって前記無線電話機との一体性がなく、双方の表示部が分離独立した状態となっており、その双方の表示部の画像表示及び表示切替えは、利用者が操作部で操作を要するといったものであり、使い勝手利便性に欠けるものである。また、接続するための接続ケーブルも合わせて持ち歩く必要があるため、携帯利便性にも欠けるものである。ただし、前記特許文献１には無線接続であってもよいという記載もあるが、前記携帯型表示装置への電源供給方法に関する記載がなく、無線接続とした場合は前記携帯型表示装置内に内臓バッテリーを備える必要性が発生するものと考えられ、内臓バッテリーを備えた場合は、前記携帯型表示装置自体の厚み寸法等が大きくなって携帯利便性を損なうことと、前記無線電話機と前記携帯型表示装置それぞれにおいて内蔵バッテリー充電操作を要するといった使い勝手上のわずらわしさが発生する。
【０００７】
また、近年急激に進歩を続けている、データ通信と映像通信と映像配信とテレビ番組視聴等の付加価値サービスの利用においては、ある程度の音量と音質を考慮したスピーカーや撮影部を備えることも必要であるが、前記携帯型表示装置には配設されていない。
【０００８】
本発明は、このような従来の構成が有していた問題を解決しようとするものであり、接続ケーブル等の付属部品を要することなく、携帯電話機の表示部筐体の前面側への容易な嵌め合わせ着脱及び自動的な回路切替えが可能で、表示能力と視認性と音量と音質及び迫力等を上げて、付加価値サービス等の利用をするための表示部とスピーカーと音量調整器と撮影部を備え、利便性が良いアタッチメント式ディスプレイ装置を提供することを目的とするものである。
【課題を解決するための手段】
【０００９】
そして、本発明は上記目的を達成するために、請求項１に記載の本発明のアタッチメント式ディスプレイ装置は、携帯電話機の表示部筐体の前面側に嵌め合わせて着脱可能な、通貨紙幣サイズ程度のディスプレイ装置であって、前記アタッチメント式ディスプレイ装置には嵌合ガイド凹と嵌合ガイド凸と電気的に接続するための外部接続端子を備え、これらはそれぞれ前記携帯電話機の前記表示部筐体の前面側と嵌合ガイド凹と外部接続端子に嵌め合わせる構成となっており、装着時に前記携帯電話機からの映像信号をうけて画像表示することが可能であるとともに、画像表示が前記携帯電話機側の前面表示部から、前記ディスプレイ装置側の表示部に自動的に切替わる制御手段を有し、前記携帯電話機からの電源供給で駆動するものである。
【００１０】
また、前記アタッチメント式ディスプレイ装置は、前面側にスピーカーと音量調整器を備えたディスプレイ装置であってもよい。前記スピーカーと前記音量調整器は、前記アタッチメント式ディスプレイ装置と前記携帯電話機の前記外部接続端子を嵌め合わせることによって、前記携帯電話機に電気的に接続され、装着時に前記携帯電話機からの音声信号をうけて音声出力及び音量調整が可能であるとともに、音声出力が前記携帯電話機側の前面スピーカーから、前記ディスプレイ装置側の前記スピーカーに自動的に切替わる制御手段を有することができてもよい。
【００１１】
また、前記アタッチメント式ディスプレイ装置は、前面側に撮影部を備えたディスプレイ装置であってもよい。前記撮影部は、前記アタッチメント式ディスプレイ装置と前記携帯電話機の前記外部接続端子を嵌め合わせることによって、前記携帯電話機に電気的に接続され、装着時に前記携帯電話機での操作部の操作による撮影要求信号に応じて、撮影データを前記携帯電話機に送り返すことが可能であるとともに、撮影機能が前記携帯電話機の前面撮影部から、前記ディスプレイ装置側の前記撮影部に自動的に切替わる制御手段を有することができてもよい。
【００１２】
上記第１の課題解決手段による作用は次の通りである。すなわち、アタッチメント式ディスプレイ装置と携帯電話機を、嵌合ガイドと電気的に接続するための外部接続端子で嵌め合わせて着脱する構成としたのは、接続ケーブル等の付属部品を要することなく、前記携帯電話機の表示部筐体の前面側に容易に嵌め合わせて着脱可能とするためで、前記アタッチメント式ディスプレイ装置を通貨紙幣サイズ程度としたのは、前記携帯電話機側の前面表示部よりも表示能力と視認性及び迫力等を上げるためであり、携帯利便性を確保するためでもある。また、その映像表示の切替えが、装着時に前記アタッチメント式ディスプレイ装置側の表示部に自動的に切替わるようにしたのは、利用者が操作部で切替操作を要しない利便性効果を発揮するためである。また、前記アタッチメント式ディスプレイ装置を前記携帯電話機からの電源供給で駆動するようにしたのは、バッテリー等の電源部を不要にして装置の薄型化で有利にするためであり、前記携帯電話機と前記アタッチメント式ディスプレイ装置それぞれにおいて、内蔵バッテリー充電操作を要するといった使い勝手上のわずらわしさがない利便性効果を発揮するためでもある。
【００１３】
また、第２の課題解決手段による作用として、前記アタッチメント式ディスプレイ装置の前面側にスピーカーを備えるようにしたのは、前記アタッチメント式ディスプレイ装置を装着することにより、前記携帯電話機の前記表示部筐体の前面スピーカーが隠れた状態になっても、音声出力を可能とするためであり、前記携帯電話機の前記表示部筐体の前面スピーカーよりも、設置スペースを大きく確保できることの有利性から、それに相応して優れた音量と音質性能を発揮できるようにするためでもある。また、前記アタッチメント式ディスプレイ装置の前面側に音量調整器を備えるようにしたのは、音量調整操作を容易にするためである。また、音声出力の切替えが、装着時に前記アタッチメント式ディスプレイ装置側のスピーカーに自動的に切替わるようにしたのは、利便性効果を発揮するためである。
【００１４】
また、第３の課題解決手段による作用として、前記アタッチメント式ディスプレイ装置の前面側に撮影部を備えるようにしたのは、前記アタッチメント式ディスプレイ装置を装着することにより、前記携帯電話機の前記表示部筐体の前面撮影部が隠れた状態になっても、撮影機能の利用を可能とするためであり、また、その撮影機能の切替えが、装着時に前記アタッチメント式ディスプレイ装置側の撮影部に自動的に切替わるようにしたのは、利便性効果を発揮するためである。
【発明の効果】
【００１５】
上述したように、本発明の携帯電話機用アタッチメント式ディスプレイ装置は、接続ケーブル等の付属部品を要することなく、前記携帯電話機の表示部筐体の前面側に容易に嵌め合わせて着脱可能で、前記アタッチメント式ディスプレイ装置は通貨紙幣サイズ程度とすることにより、携帯利便性も確保できる。また、その映像表示の切替えは、装着時に前記アタッチメント式ディスプレイ装置側の表示部に自動的に切替わるため、利用者が操作部で切替操作を要しない利便性効果を発揮する。また、前記アタッチメント式ディスプレイ装置は前記携帯電話機からの電源供給で駆動するため、バッテリー等の電源部が不要なことから装置の薄型化に有利であり、前記携帯電話機と前記アタッチメント式ディスプレイ装置それぞれにおいて、内蔵バッテリー充電操作を要するといった使い勝手上のわずらわしさがない利便性効果を発揮する。
【００１６】
また、前記アタッチメント式ディスプレイ装置を装着することにより、前記携帯電話機の前記表示部筐体の前面スピーカーが隠れた状態になっても、前記アタッチメント式ディスプレイ装置の前面側に備えたスピーカーによる音声出力が可能となり、前記携帯電話機の前記表示部筐体の前面スピーカーよりも、設置スペースを大きく確保することに有利性があるため、それに相応して優れた音量と音質性能を発揮できるとともに、音量調整器により音量調整操作も容易である。また、その音声出力の切替えは、装着時に前記アタッチメント式ディスプレイ装置側のスピーカーに自動的に切替わる利便性効果を発揮する。
【００１７】
また、前記アタッチメント式ディスプレイ装置を装着することにより、前記携帯電話機の前記表示部筐体の前面撮影部が隠れた状態になっても、前記アタッチメント式ディスプレイ装置の前面側に備えた撮影部による撮影機能の利用が可能となり、また、その撮影機能の切替えは、装着時に前記アタッチメント式ディスプレイ装置側の撮影部に自動的に切替わる利便性効果を発揮する。
【発明を実施するための最良の形態】
【００１８】
以下、本発明の実施の形態を図１〜図７に基づいて説明する。
【００１９】
図１においては、アタッチメント式ディスプレイ装置１を携帯電話機８に装着した状態を前方から見た外観図であり、前記アタッチメント式ディスプレイ装置１は前記携帯電話機８の表示部筐体９の前面側に嵌め合わせ装着されており、前記アタッチメント式ディスプレイ装置１の前面には表示部３と撮影部５とスピーカー６と音量調整器７を備えており、前記表示部３は図３に示す前記携帯電話機８の前面表示部１５よりも大型サイズである。ここで、前記音量調整器７は図中においてスライド式となっているが、ダイヤル方式としてもよく、また、その配置は装置の上部又は側部としてもよく、あいたスペースに配置してもよい。
【００２０】
図２においては、前記アタッチメント式ディスプレイ装置１の後方から見た斜視図であり、前記携帯電話機８に装着する際の嵌合ガイド凹部２ａと嵌合ガイド凸部２ｂを備えており、これらはそれぞれ図３に示す前記携帯電話機８の前記表示部筐体９の前面側と嵌合ガイド凹部９ａに嵌め合わせるものである。ここで、嵌合ガイドの凹部と凸部の関係は逆の構成としてもよく、また、その配置は装置の上部又は中間部又は下部としてもよく、あいたスペースに配置してもよい。
【００２１】
また、図２に示すように前記アタッチメント式ディスプレイ装置１の下側には外部接続端子４を備えており、これは図３に示す前記携帯電話機８の第２外部接続端子部１０の内部にある第２外部接続端子１１に嵌め合わせるものであり、その上方には第２外部接続端子上部蓋１２が備えてある。前記第２外部接続端子上部蓋１２は前記表示部筐体９の内部側に押し込まれるように収納することが可能であり、前記アタッチメント式ディスプレイ装置１が装着されていない状態においては、スプリング等の機械的圧力により外側方向に押し出されて、前記第２外部接続端子部１０の上部を塞いだ状態となっている。ここで、前記外部接続端子４と前記第２外部接続端子部１０の配置は、装置の上部又は中間部又は下部としてもよく、あいたスペースに配置すればよい。また、前記第２外部接続端子上部蓋１２は手で直に開閉するものとしてもよい。また、前記第２外部接続端子１１は、第１外部接続端子２７（図７参照）を前記表示部筐体９の上部又は側部に配置して１箇所で共用してもよい。
【００２２】
また、前記外部接続端子４と前記第２外部接続端子１１は、接続することにより、前記携帯電話機８から前記アタッチメント式ディスプレイ装置１への駆動電源供給及び、双方の情報データの受け渡しをおこなうためのものであり、通常の携帯電話機で用いられる接続用ケーブルのコネクター凸と外部接続端子凹と同様の形状と構成から成り、電気的に接続するための８対程度の端子を備えている。ここで、前記外部接続端子４と前記第２外部接続端子１１は薄型化をはかった形状としてもよく、その端子対数は電源供給及び双方の情報データ受け渡しに応じた対数としてもよい。
【００２３】
以下、上記構成の動作を説明する。
図４に示すように、アタッチメント式ディスプレイ装置１は、携帯電話機８の表示部筐体９の前面側上方から嵌め合わせて装着するものであるが、その際、前記アタッチメント式ディスプレイ装置１の嵌合ガイド凹部２ａと嵌合ガイド凸部２ｂと外部接続端子４は、それぞれを前記表示部筐体９と嵌合ガイド凹部９ａと第２外部接続端子１１に、同時に上方から下方へとスライドさせて嵌め合わせることで、装着及び電気的な接続が完了する。
【００２４】
そして、図５（Ａ）、（Ｂ）、（Ｃ）は前記アタッチメント式ディスプレイ装置１と前記携帯電話機８の嵌め合わせ説明を示す側面図であり、（Ａ）のように前記携帯電話機８の前記表示部筐体９の前面側に、前記アタッチメント式ディスプレイ装置１の前記嵌合ガイド凹部２ａを嵌め合わせた状態で、上方から下方へとスライドさせ、（Ｂ）は前記第２外部接続端子上部蓋１２がディスプレイ装置筐体２の先端に押されて、前記表示部筐体９の内部側に押し込まれていく状態を示し、（Ｃ）は最後迄嵌め込んで前記外部接続端子４が前記第２外部接続端子１１に接続された状態である。
【００２５】
また、前記アタッチメント式ディスプレイ装置１を前記携帯電話機８から取り外す際は、前記アタッチメント式ディスプレイ装置１を上方に引外すだけで取り外すこができる。
【００２６】
図６は、前記アタッチメント式ディスプレイ装置１を前記携帯電話機８に装着して、前記携帯電話機８を多少折り曲げた状態で卓上に置いた姿勢を前方から見た斜視図である。ただし、本願発明の前記アタッチメント式ディスプレイ装置１は折り畳み式でない携帯電話機と組み合わせてもよい。
【００２７】
また、図７は前記アタッチメント式ディスプレイ装置１と前記携帯電話機８の電気回路構成を示すブロック図であり、前記携帯電話機８に前記アタッチメント式ディスプレイ装置１を嵌め合わせて、前記外部接続端子４と前記第２外部接続端子１１で接続された状態である。この状態においては、表示と音声及び撮影機能は全面的に前記アタッチメント式ディスプレイ装置１の表示部３とスピーカー６及び撮影部５に依存しており、前記携帯電話機８側の前面表示部１５と受話スピーカー１３及び前面撮影部１４は機能停止状態となっている。
【００２８】
これは、前記外部接続端子４と前記第２外部接続端子１１が接続されることによって、前記アタッチメント式ディスプレイ装置１の制御部３６から、前記携帯電話機８の制御部３２に切替要求信号が送信されて、自動的に切替わる機能によるものである。そして、前記外部接続端子４と前記第２外部接続端子１１を抜き離すことによって、切替要求信号の送信が停止されて、表示と音声及び撮影機能は前記携帯電話機８の前記前面表示部１５と前記受話スピーカー１３及び前記前面撮影部１４への依存に、自動的に切替わる制御手段を有するものである。
【００２９】
ここで、切替要求信号は、映像回路部３４及び音声回路部３５それぞれに送信して切替える構成としてもよい。また、切替要求信号の発信方法については、前記外部接続端子４と前記第２外部接続端子１１が接続されることによって、前記第２外部接続端子１１側の切替要求信号用の正と負の端子が前記外部接続端子４を介して接続状態となることを、切替要求信号の発信としてもよい。また、前記携帯電話機８に前記アタッチメント式ディスプレイ装置１を嵌め合わせ装着することによって、配線接続スイッチの操作部が押されて、切替要求信号用の正と負の配線が接続又は切れた状態になることを、切替要求信号の発信とした構成にしてもよい。その場合前記配線接続スイッチは、前記携帯電話機８に前記アタッチメント式ディスプレイ装置１を嵌め合わせ装着した時に、双方が接触又は近接する範囲のあいた場所に配置するか、または、前記携帯電話機８に前記アタッチメント式ディスプレイ装置１を嵌め合わせ装着する際の、前記第２外部接続端子上部蓋１２が前記表示部筐体９の内部側に押し込まれる動作に連動させて、接続又は切れる構成としてもよい。
【００３０】
また、前記アタッチメント式ディスプレイ装置１で表示する画像は、その前記表示部３と前記携帯電話機８の前記表示部１５との画面画素数と縦横比の相違を考慮して、前記携帯電話機８の前記制御部３２と前記アタッチメント式ディスプレイ装置１の前記制御部３６で、画像データ変換処理の連携をとって表示される。
【００３１】
また、前記アタッチメント式ディスプレイ装置１を駆動する電源は、前記携帯電話機８側から前記外部接続端子４と前記第２外部接続端子１１との接続を介して供給されるものである。また、前記携帯電話機８の電源部２９のバッテリー充電容量は、前記アタッチメント式ディスプレイ装置１を接続して視聴する場合の消費電力を考慮した能力とするものである。
【図面の簡単な説明】
【００３２】
【図１】本発明の実施形態を示すアタッチメント式ディスプレイ装置を携帯電話機に装着した状態の前方から見た外観図
【図２】同アタッチメント式ディスプレイ装置の後方から見た斜視図
【図３】同携帯電話機の前方から見た斜視図
【図４】同アタッチメント式ディスプレイ装置と携帯電話機の後方から見た分解斜視図
【図５】同アタッチメント式ディスプレイ装置と携帯電話機の外部接続端子嵌め合わせ説明の側面から見た外観図
【図６】同アタッチメント式ディスプレイ装置を携帯電話機に装着して携帯電話機を折り曲げた状態で卓上に置いた姿勢の前方から見た斜視図
【図７】同アタッチメント式ディスプレイ装置と携帯電話機の電気回路構成を示すブロック図
【符号の説明】
【００３３】
１  アタッチメント式ディスプレイ装置
２  ディスプレイ装置筐体
２ａ  嵌合ガイド凹部
２ｂ  嵌合ガイド凸部
３  表示部
４  外部接続端子
５  撮影部
６  スピーカー
７  音量調整器
８  携帯電話機
９  表示部筐体
９ａ  嵌合ガイド凹部
１０  第２外部接続端子部
１１  第２外部接続端子
１２  第２外部接続端子上部蓋
１３  受話スピーカー
１４  前面撮影部
１５  前面表示部
１６  背面表示部
１７  呼出音スピーカー
１８  背面撮影部
１９  蝶番
２０  操作部筐体
２０ａ  操作部筐体凹部
２１  送話マイクロフォン
２４  充電用外部接触端子
２６  第１外部接続端子上部蓋
２７  第１外部接続端子
２８  操作部
２９  電源部
３０  アンテナ
３１  無線通信回路部
３２  制御部
３３  メモリ
３４  映像回路部
３５  音声回路部
３６  制御部
【図１】
2008153717.tif 000003
【図２】
2008153717.tif 000004
【図３】
2008153717.tif 000005
【図４】
2008153717.tif 000006
【図５】
2008153717.tif 000007
【図６】
2008153717.tif 000008
【図７】
2008153717.tif 000009
【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
携帯電話機の表示部筐体の前面側に嵌め合わせて着脱可能な、通貨紙幣サイズ程度のディスプレイ装置であって、前記ディスプレイ装置には嵌合ガイド凹と嵌合ガイド凸と電気的に接続するための外部接続端子を備え、これらはそれぞれ前記携帯電話機の前記表示部筐体の前面側と嵌合ガイド凹と外部接続端子に嵌め合わせる構成となっており、そして、前記ディスプレイ装置は前記携帯電話機の前面表示部の前面を覆い隠して装着するものであり、装着時に前記携帯電話機からの映像信号をうけて画像表示することが可能であるとともに、画像表示が前記携帯電話機側の前記前面表示部から、前記ディスプレイ装置側の表示部に自動的に切替わる制御手段を有し、取り外し時に前記外部接続端子を抜き離すことにより、前記携帯電話機の前記前面表示部での表示に自動的に切替わる制御手段を有し、前記携帯電話機からの電源供給で駆動することを特徴とするアタッチメント式ディスプレイ装置。
【請求項２】
前面側にスピーカーと音量調整器を備えたディスプレイ装置であって、前記スピーカーと前記音量調整器は、前記ディスプレイ装置と前記携帯電話機の前記外部接続端子を嵌め合わせることによって、前記携帯電話機に電気的に接続され、装着時に前記携帯電話機からの音声信号をうけて音声出力及び音量調整が可能であるとともに、音声出力が前記携帯電話機側の前面スピーカーから、前記ディスプレイ装置側の前記スピーカーに自動的に切替わる制御手段を有することを特徴とする請求項１記載のアタッチメント式ディスプレイ装置。
【請求項３】
前面側に撮影部を備えたディスプレイ装置であって、前記撮影部は、前記ディスプレイ装置と前記携帯電話機の前記外部接続端子を嵌め合わせることによって、前記携帯電話機に電気的に接続され、装着時に前記携帯電話機での操作部の操作による撮影要求信号に応じて、撮影データを前記携帯電話機に送り返すことが可能であるとともに、撮影機能が前記携帯電話機側の前面撮影部から、前記ディスプレイ装置側の前記撮影部に自動的に切替わる制御手段を有することを特徴とする請求項１又は２に記載のアタッチメント式ディスプレイ装置。
【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
携帯電話機の表示部筐体の前面側に嵌め合わせて着脱可能な、通貨紙幣サイズ程度のディスプレイ装置であって、前記ディスプレイ装置には嵌合ガイド凹と嵌合ガイド凸と筐体下側に電気的に接続するための外部接続端子を備え、これらはそれぞれ前記携帯電話機の前記表示部筐体の前面側と嵌合ガイド凹と前記携帯電話機の前記表示部筐体の前面下側に配設した外部接続端子に嵌め合わせる構成となっており、前記携帯電話機側の外部接続端子の上部には、嵌め合わせの際に前記ディスプレイ装置側の筐体の先端に押されて筐体内部側に押し込まれる蓋を具備し、そして、前記ディスプレイ装置は前記携帯電話機の前面表示部の前面を覆い隠して装着するものであり、装着時に前記外部接続端子が接続されることにより、前記携帯電話機に切替要求信号が送信されて、前記携帯電話機からの映像信号をうけて画像表示することが可能であるとともに、画像表示が前記携帯電話機側の前記前面表示部から、前記ディスプレイ装置側の表示部に自動的に切替わる制御手段を有し、取り外し時に前記外部接続端子を抜き離すことにより、前記切替要求信号の送信が停止されて、前記携帯電話機の前記前面表示部での表示に自動的に切替わる制御手段を有し、前記携帯電話機からの電源供給で駆動することを特徴とするアタッチメント式ディスプレイ装置。
【請求項２】
前面側にスピーカーと音量調整器を備えたディスプレイ装置であって、前記スピーカーと前記音量調整器は、前記ディスプレイ装置と前記携帯電話機の前記外部接続端子を嵌め合わせることによって、前記携帯電話機に電気的に接続され、装着時に前記携帯電話機からの音声信号をうけて音声出力及び音量調整が可能であるとともに、音声出力が前記携帯電話機側の前面スピーカーから、前記ディスプレイ装置側の前記スピーカーに自動的に切替わる制御手段を有することを特徴とする請求項１記載のアタッチメント式ディスプレイ装置。
【請求項３】
前面側に撮影部を備えたディスプレイ装置であって、前記撮影部は、前記ディスプレイ装置と前記携帯電話機の前記外部接続端子を嵌め合わせることによって、前記携帯電話機に電気的に接続され、装着時に前記携帯電話機での操作部の操作による撮影要求信号に応じて、撮影データを前記携帯電話機に送り返すことが可能であるとともに、撮影機能が前記携帯電話機側の前面撮影部から、前記ディスプレイ装置側の前記撮影部に自動的に切替わる制御手段を有することを特徴とする請求項１又は２に記載のアタッチメント式ディスプレイ装置。